(57)【要約】【課題】通気管や吸気弁を不要とし、排水管路の縦排水管とその下流側の横排水管との間で排水の流速等を抑制して、排水管路内での負圧の発生に起因する排水トラップの封水破壊を防止できる排水管路構造を提供する。【解決手段】排水設備１からの排水を流す排水管路の縦排水管４とその下流側の横排水管５との間に、縦排水管４を流下した排水が下流側の横排水管５に直接流れ込まないように排水を迂回させる迂回管路６を設けた構成の排水管路構造とする。迂回管路６内で排水の流速や水勢を抑えて排水管路の閉塞及び負圧の発生を防止し、排水設備１の排水トラップ１ｂの封水破壊を防止する。縦排水管４と横排水管５との接続箇所から横排水管５の途中の箇所まで、縦排水管を流下した排水の一部を迂回させる迂回管路を設ける構成としてもよい。【選択図】図１
2010180655.tif 000002
【特許請求の範囲】
【請求項１】
排水設備からの排水を流す排水管路の縦排水管とその下流側の横排水管との間に、縦排水管を流下した排水が下流側の横排水管に直接流れ込まないように排水を迂回させる迂回管路を設けたことを特徴とする排水管路構造。
【請求項２】
排水設備からの排水を流す排水管路の縦排水管とその下流側の横排水管との接続箇所から横排水管の途中の箇所まで、縦排水管を流下した排水の一部を迂回させる迂回管路を設けたことを特徴とする排水管路構造。
【請求項３】
迂回管路の切断開口面積が縦排水管及び横排水管の切断開口面積よりも大きいことを特徴とする請求項１又は請求項２に記載の排水管路構造。
【請求項４】
迂回管路の入口に、排水の水勢を減衰させる排水衝突部を設けたことを特徴とする請求項１ないし請求項３のいずれかに記載の排水管路構造。
【請求項５】
迂回管路の屈曲部に、排水の水勢を減衰させる排水衝突部を設けたことを特徴とする請求項１ないし請求項３のいずれかに記載の排水管路構造。
【発明の詳細な説明】
【技術分野】
【０００１】
本発明は、排水設備からの排水を流す排水管路構造に関し、特に、縦排水管と下流側の横排水管との間で排水の流速等を抑制して、排水管路内に負圧が生じないように改良した排水管路構造に関する。
【背景技術】
【０００２】
排水設備、例えば水洗便器等の衛生器具設備から多量の排水を排水管路に勢いよく流すと、排水管路が排水によって閉塞されやすくなり、このように排水が排水管路を閉塞したまま流れると、閉塞部分より上流側の排水管路内に負圧が発生するため、衛生器具設備に設けられた排水トラップの封水破壊を生じる恐れがある。特に、器具排水流量（衛生器具設備などの排水設備からの単位時間当たりの排水流量）が多い水洗便器等から排水を流す排水管路に、手洗いなどからの排水を流す雑排水管が接続されている場合に、上記の現象は起こりやすく、これを防止するために、水洗便器等からの排水管路の途中に通気管を設けて、該通気管の上端に臭気逆流防止用のドルゴ弁を設ける等の手段が採られている（特許文献１参照）。
【０００３】
また、便器の排水用の水を貯溜するロータンクを貯水室と吸気弁室に分割し、吸気弁を先端に備えた吸気管を吸気弁室に配設して、該吸気管を便器の排水トラップの下流側の排水管に接続することにより、トラップ保護機能を便器のロータンクに付与したものも知られている（特許文献２）。
【０００４】
更に、排水集合管継手に少なくとも２本の横枝管が対向状態で接続された排水システムにおいて、その横枝管の途中に、排水を蛇行させて減速させる排水減速部を設けたものも知られている（特許文献３）。
【先行技術文献】
【特許文献】
【０００５】
【特許文献１】特開２００３−９６８９２号公報
【特許文献２】特開２００２−１０６０１７号公報
【特許文献３】特開２００７−２７７９７７号公報
【発明の概要】
【発明が解決しようとする課題】
【０００６】
しかしながら、前記特許文献１のような手段で水洗便器等の排水トラップの封水破壊を防止する場合は、排水管路の途中に通気管を接続、配管する作業が面倒であり、ドルゴ弁などの吸気弁も必要になることから、コストアップを招くという問題がある。
【０００７】
また、前記特許文献２のように、便器のロータンクにトラップ保護機能を付与したものは、排水管路それ自体の構造は簡素であるが、ロータンクの構造が複雑になるので、やはりコストアップを招くという問題がある。
【０００８】
そして、前記特許文献３のように、横枝管の途中に排水を蛇行させて減速させる排水減速部を設けたものは、減速された排水が横枝管を逆流する恐れがあり、また、排水減速部から上流側の横枝管に排水が滞留して満水状態となり、横枝管に接続された水洗便器等の排水トラップがサイフォン現象によって封水破壊する恐れもあった。
【０００９】
本発明は上記事情の下になされたもので、その解決しようとする課題は、従来の通気管や吸気弁を不要とし、排水管路の縦排水管とその下流側の横排水管との間で排水の流速等を抑制して、排水管路内での負圧の発生に起因する排水トラップの封水破壊を防止できるようにした排水管路構造を提供することにある。
【課題を解決するための手段】
【００１０】
上記課題を解決するため、本発明に係る第一の排水管路構造は、排水設備からの排水を流す排水管路の縦排水管とその下流側の横排水管との間に、縦排水管を流下した排水が下流側の横排水管に直接流れ込まないように排水を迂回させる迂回管路を設けたことを特徴とするものである。
【００１１】
そして、本発明に係る第二の排水管路構造は、排水設備からの排水を流す排水管路の縦排水管とその下流側の横排水管との接続箇所から横排水管の途中の箇所まで、縦排水管を流下した排水の一部を迂回させる迂回管路を設けたことを特徴とするものである。
【００１２】
本発明の第一及び第二の排水管路構造においては、迂回管路の切断開口面積を縦排水管及び横排水管の切断開口面積よりも大きくすることが望ましい。また、迂回管路の入口に排水の水勢を減衰させる排水衝突部を設けることが望ましく、更に、迂回管路の屈曲部に排水の水勢を減衰させる排水衝突部を設けることも望ましい。尚、上記の「切断開口面積」とは、迂回管路、縦排水管、横排水管をそれぞれの中心線に対して垂直に切断したときの開口面積を意味する。
【発明の効果】
【００１３】
本発明の第一の排水管路構造によれば、縦排水管を流下した排水の全てが迂回管路を流れ、迂回管路内で流速や水勢が抑えられて横排水管に流れ込むため、器具排水流量（衛生器具設備などの排水設備からの単位時間当たりの排水流量）のピークが緩和されて、排水管路が閉塞し難くなる。従って、排水管路内で負圧が発生し難くなるので、衛生器具設備などの排水設備の排水トラップが負圧によって封水破壊されるのを防止することができる。
【００１４】
また、本発明の第二の排水管路構造によれば、縦排水管を流下した排水が縦排水管と横排水管との接続箇所で二分され、排水の一部は横排水管に直接流れ込むが、排水の他の一部は迂回管路に流れ込み、迂回管路内で流速や水勢が抑えられて横排水管の途中の箇所から合流するため、第一の排水管路構造と同様に、器具排水流量のピークが緩和されて排水管路が閉塞し難くなる。従って、本発明の第二の排水管路構造も排水管路内で負圧が発生し難くなるので、衛生器具設備などの排水設備の排水トラップが負圧によって封水破壊されるのを防止することができる。
【００１５】
このように、本発明の第一の排水管路構造は、縦排水管と下流側の横排水管との間に迂回管路を設けることによって、また、第二の排水管路構造は、縦排水管と横排水管との接続箇所から横排水管の途中の箇所まて迂回管路を設けることによって、排水管路の閉塞と負圧の発生を抑え、衛生器具設備などの排水設備の排水トラップの封水破壊を防止するものであるから、前記特許文献１に記載されているような封水破壊防止用の通気管や吸気弁が全く不要となる。
【００１６】
そして、迂回管路の切断開口面積を縦排水管及び横排水管の切断開口面積よりも大きくしたものは、縦排水管から迂回管路に流れ込んだ排水が切断開口面積の大きい迂回管路内で一時的に滞留し、排水の流速や水勢が更に抑えられて排水管路が一層閉塞し難くなるため、排水トラップの封水破壊防止効果が顕著になる。しかも、切断開口面積の大きい迂回管路は内容積が大きく満水になり難いので、サイフォン現象によって排水設備の排水トラップが封水破壊することもない。
【００１７】
また、迂回管路の入口に排水の水勢を減衰させる排水衝突部を設けたものや、迂回管路の屈曲部に排水の水勢を減衰させる排水衝突部を設けたものは、縦排水管から排水が迂回管路に流れ込むときや、迂回管路の屈曲部で流れの方向を転換するときに、排水が排水衝突部に衝突して水勢や流速が更に減衰されるため、排水管路がより一層閉塞し難くなり、排水トラップの封水破壊防止効果が更に顕著になる。
【図面の簡単な説明】
【００１８】
【図１】本発明の一実施形態に係る排水管路構造の説明図である。
【図２】同排水管路構造の要部拡大図である。
【図３】図２のＡ−Ａ線断面図（同排水管路構造の要部平面図）である。
【図４】本発明の他の実施形態に係る排水管路構造の要部平面図である。
【発明を実施するための形態】
【００１９】
図１は水洗便器からの排水を流す排水管路構造を例示したものであって、１はトイレの床面２に設置された洋式の水洗便器を示しており、この便器１の内部には、便鉢部１ａと、臭気の逆流を防止する排水トラップ部１ｂと、その下流側の排水通路部１ｃが連続して形成されている。この排水通路部１ｃの下端には、床面２に取付けられた接続アダプタ３を介して、床下の縦排水管４が接続されており、この縦排水管４と床下に配管された下流側の横排水管５との間には、図３に示すように上方から見たとき横排水管５の上流側（図３では左側）にコ字状に屈曲する迂回管路６が設けられている。そして、横排水管５には、手洗い７などの他の排水設備からの雑排水管８も接続されている。
【００２０】
上記の迂回管路６は、縦排水管４を流下した排水が下流側の横排水管５に直接流れ込まないように排水を迂回させ、流速や水勢を抑えて排水管路の閉塞を防止するものであって、図１〜図３に示す実施形態では、流速や水勢の抑制作用を一層高めるために、迂回管路６の切断開口面積を縦排水管４及び横排水管５の切断開口面積よりも大きくしている。即ち、この迂回管路６は、縦排水管４及び横排水管５よりも直径が大きい大径短管６１の両端に大径直角エルボ継手６２，６２を接続すると共に、これらの大径直角エルボ継手６２，６２に大径短管６３，６３を介して異径継手６４，６４を接続することにより、縦排水管４及び横排水管５よりも切断開口面積が大きいコ字状の管路を構成したものであって、一方の異径継手６４は縦排水管４の下端の直角エルボ継手４１に接続されており、他方の異径継手６４は直管継手５１を介して横排水管５の上流側端部に接続されている。
【００２１】
そして、縦排水管４から迂回管路６に流れ込む排水の水勢を更に減衰させるため、迂回管路６の入口に該当する一方の大径短管６３の内部には、突片状の排水衝突部６５ａが形成されており、また、迂回管路６の二箇所の屈曲部に該当する大径直角エルボ継手６２，６２の内部にも、突片状の排水衝突部６５ｂ，６５ｃが形成されている。
【００２２】
迂回管路６の入口の排水衝突部６５ａは、大径短管６３の内面上部から下向きに突設され、縦排水管４を勢い良く流下した排水が直角エルボ継手４１で巻上がって該排水衝突部６５ａに衝突することにより、水勢が減衰されると共に、排水中の固形物が破砕されるようになっている。これに対し、迂回管路６の屈曲部の排水衝突部６５ｂ，６５ｃは、大径直角エルボ継手６２，６２の内面下部から上向きに突設され、迂回管路６内を流れる排水が該排水衝突部６５ｂ，６５ｃに衝突することによって、水勢が更に減衰されると共に、排水中の固形物が更に破砕されるようになっている。排水衝突部６５ａのように迂回管路６の入口の内面上部から下向きに突設されていると、排水中の固形物が該排水衝突部６５ａに引掛かって残留する心配がなく、また、屈曲部の排水衝突部６５ｂ，６５ｃのように大径短管６１の中心線と平行方向又は直角方向に形成されていると、屈曲部を流れる排水が排水衝突部６５ｂ，６５ｃに斜めに衝突するため、やはり固形物が引掛かって残留する心配がない。従って、この迂回管路６は、排水衝突部６５ａ，６５ｂ，６５ｃが形成されていても、固形物が残留して臭気や虫の発生源になったり、管路閉塞の原因となる恐れはない。尚、上記の排水衝突部６５ａは、迂回管路６の入口側の異径継手６４の内面上部から下向きに突設してもよい。
【００２３】
以上のような迂回管路６を縦排水管４と下流側の横排水管５との間に設けた排水管路構造にあっては、縦排水管４を流下した排水の全てが迂回管路６を流れ、迂回管路６の屈曲部で流れの方向を転換する度に流速や水勢が抑えられて横排水管５に流れ込むため、器具排水流量のピークが緩和されて排水管路が閉塞し難くなる。従って、排水管路内で負圧が発生し難くなるので、水洗便器１の排水トラップ１ｂや手洗い７の排水トラップ７ａが負圧によって封水破壊されるのを防止することができる。特に、この実施形態の排水管路構造のように、迂回管路６の切断開口面積を縦排水管４及び横排水管５の切断開口面積よりも大きくし、迂回管路６の入口と屈曲部に排水衝突部６５ａ，６５ｂ，６５ｃを形成してあると、縦排水管４から迂回管路６に流れ込む排水が入口の排水衝突部６５ａに衝突して水勢が弱められ、切断開口面積の大きい迂回管路６内で減速して一時的に滞留し、屈曲部の排水衝突部６５ｂ，６５ｃで更に水勢が弱められて、横排水管５へ流れ込むため、排水管路が一層閉塞し難くなり、負圧による排水トラップの封水破壊防止効果が顕著になる。また、切断開口面積の大きい迂回管路６は内容積が大きく満水になり難いので、サイフォン現象によって水洗便器１の排水トラップ１ｂが封水破壊する心配もない。
【００２４】
上記のように、この排水管路構造は、縦排水管４と下流側の横排水管５との間に迂回管路６を設けることによって排水管路の閉塞と負圧の発生を抑え、水洗便器１などの衛生器具設備の排水トラップの封水破壊を防止するものであるから、従来の封水破壊防止用の通気管や吸気弁が全く不要となる。
【００２５】
図１〜図３に示す実施形態の排水管路構造では、水平方向に直角に屈曲する二つの屈曲部を備えたコ字状の迂回管路６を設けているが、迂回管路はこれに限定されるものではなく、水平方向に直角又は鈍角（場合によっては鋭角）に屈曲する屈曲部を二つ以上備えて排水の水勢を充分減衰できる迂回管路であればよい。但し、屈曲部の数が多過ぎる迂回管路は、排水の流速や水勢を減衰させる作用に優れる反面、迂回管路内での排水の流れが悪くなり過ぎて迂回管路から上流側の排水管路が満水状態となり、サイフォン現象で水洗便器１の排水トラップ１ｂが封水破壊する恐れが生じるので好ましくない。好ましい迂回管路は、２〜４の屈曲部を有するものである。
【００２６】
次に、図４を参照して本発明の他の実施形態に係る排水管路構造を説明する。
【００２７】
この排水管路構造は、排水設備からの排水を流す排水管路の縦排水管４とその下流側の横排水管５との接続箇所から横排水管５の途中の箇所まで、縦排水管４を流下した排水の一部を迂回させる迂回管路６０を設けたものであって、縦排水管４の下端には、分岐用の継手４２（Ｘ軸，Ｙ軸，Ｚ軸の方向に三つの接続口を有する継手）を介して、横排水管５の上流側端部と迂回管路６０の上流側端部が直角に分岐して接続されている。
【００２８】
上記の迂回管路６０は、縦排水管４及び横排水管５と同じ直径を有する短管６６の両端に、直角エルボ継手６７，６７を介して同じ直径の短管６８，６８を接続することにより、横排水管５の側方にコ字状に屈曲する管路を構成したものであって、この迂回管路６０の一端側（上流側）の短管６８は縦排水管４の下端の継手４２に接続されており、他端側（下流側）の短管６８は横排水管５の途中のチーズ継手５２に接続されている。
【００２９】
この排水管路構造の全体構成は、図１に示す排水管路構造と同様であるので、説明を省略する。
【００３０】
上記実施形態の排水管路構造にあっては、縦排水管４を流下した排水が縦排水管４と横排水管５との接続箇所の継手４２で分岐され、排水の一部は横排水管５に直接流れ込むが、排水の他の一部は迂回管路６０に流れ込み、迂回管路６０内で流速や水勢が抑えられて横排水管５の途中のチーズ継手５２のところから横排水管５に合流するため、前述した実施形態の排水管路構造と同様に、器具排水流量のピークが緩和されて排水管路が閉塞し難くなる。従って、この実施形態の排水管路構造も排水管路内で負圧が発生し難くなるので、水洗便器１の排水トラップ１ｂが負圧によって封水破壊されるのを防止することができる。
【００３１】
尚、この実施形態の排水管路構造においても、迂回管路６０の切断開口面積を縦排水管４及び横排水管５の切断開口面積より大きくしたり、迂回管路６０の入口や屈曲部に排水衝突部を設けたりして、排水の流速や水勢の抑制作用を更に向上させ、排水管路の閉塞防止効果、負圧による排水トラップの封水破壊防止効果を一層高めるようにしても勿論よい。また、コ字状の迂回管路６０に代えて、水平方向に直角又は鈍角（場合によっては鋭角）に屈曲する二つ以上の屈曲部を備えた迂回管路を設けるようにしても勿論よい。
【符号の説明】
【００３２】
１    水洗便器（排水設備）
１ｂ  水洗便器の排水トラップ部
４    縦排水管
５    横排水管
６，６０  迂回管路
６５ａ，６５ｂ，６５ｃ  排水衝突部
【図１】
2010180655.tif 000003
【図２】
2010180655.tif 000004
【図３】
2010180655.tif 000005
【図４】
2010180655.tif 000006